(57)【要約】【課題】ユーザを煩わせることなく、撮影場所に適した撮影条件をカメラに設定する。【解決手段】サーバ８は、カメラ１００からの撮影条件要求を受信したか否かを判断する。カメラ１００からこの要求を受信したと判断すると、撮影条件テーブル８ａを参照し、受信したＡＰＩＤに対応する最適な撮影条件を決定する。サーバ８は、決定した最適な撮影条件を、アクセスポイント２経由でカメラ１００に送信する。カメラ１００は、サーバ８から撮影条件を受信したか否かを判断し、受信したと判断すると、受信した撮影条件を設定する。【選択図】  図４
2008005034.tif 000002
【特許請求の範囲】
【請求項１】
撮影装置と、固有の識別情報を有しかつ前記撮影装置と無線接続するアクセスポイントと、前記アクセスポイントを介して前記撮影装置と通信するサーバとを備える撮影条件設定支援システムであって、
前記サーバは、各アクセスポイントに固有の識別情報と各アクセスポイントの設置場所に最適な撮影条件とを対応づけた撮影条件テーブルを記憶しており、
前記撮影装置は、特定のアクセスポイントと無線接続したことに応じ、撮影条件の送信を要求するための撮影条件要求を、前記特定のアクセスポイントに固有の識別情報とともに前記サーバに送信し、
前記サーバは、前記特定のアクセスポイントを介して前記固有の識別情報および前記撮影条件要求を受信すると、前記撮影条件テーブルを参照して前記固有の識別情報に対応する撮影条件を決定して、決定された撮影条件を前記撮影装置に送信し、
前記撮影装置は、前記サーバから前記撮影条件を受信すると、前記受信した撮影条件を設定する撮影条件設定システム。
【請求項２】
撮影装置と、固有の識別情報を有しかつ前記撮影装置と無線接続するアクセスポイントと、前記アクセスポイントを介して前記撮影装置と通信するサーバとを備えるシステムで用いられる撮影条件設定方法であって、
各アクセスポイントに固有の識別情報と各アクセスポイントの設置場所に最適な撮影条件とを対応づけた撮影条件テーブルを前記サーバに記憶するステップと、
前記撮影装置が特定のアクセスポイントと無線接続したことに応じ、撮影条件の送信を要求するための撮影条件要求を、前記特定のアクセスポイントに固有の識別情報とともに前記サーバに送信するステップと、
前記サーバが前記特定のアクセスポイントを介して前記固有の識別情報および前記撮影条件要求を受信すると、前記撮影条件テーブルを参照して前記固有の識別情報に対応する撮影条件を決定して、決定された撮影条件を前記撮影装置に送信するステップと、
前記撮影装置が前記サーバから前記撮影条件を受信すると、前記受信した撮影条件を設定するステップと、
を含む撮影条件設定方法。
【請求項３】
固有の識別情報を有しかつ撮影装置と無線接続するアクセスポイントを介して前記撮影装置と通信する撮影条件提供サーバであって、
各アクセスポイントに固有の識別情報と各アクセスポイントの設置場所に最適な撮影条件とを対応づけた撮影条件テーブルを記憶する記憶部と、
特定のアクセスポイントと無線接続した撮影装置から、前記特定のアクセスポイントに固有の識別情報および前記撮影条件要求を受信する受信部と、
前記記憶部の撮影条件テーブルを参照して前記固有の識別情報に対応する撮影条件を決定する撮影条件決定部と、
前記撮影条件決定部の決定した撮影条件を、前記特定のアクセスポイントを介して前記撮影装置に送信する送信部と、
を備える撮影条件提供サーバ。
【請求項４】
固有の識別情報を有する無線アクセスポイントを介してサーバと通信する撮影装置であって、
特定のアクセスポイントと無線接続したことに応じ、撮影条件の送信を要求するための撮影条件要求を、前記特定のアクセスポイントに固有の識別情報とともに前記サーバに送信する送信部と、
前記サーバから前記撮影条件を受信する受信部と、
前記受信部が前記サーバから受信した撮影条件を設定する設定部と、
を備える撮影装置。
【発明の詳細な説明】
【技術分野】
【０００１】
本発明は、特定の場所で使用されるカメラに最適な撮影条件を設定する技術に関する。
【背景技術】
【０００２】
従来、撮影場所に適した撮影条件をカメラに設定するための技術が考案されている。例えば特許文献１によると、デジタルカメラで撮影場所を固定して撮影する際に、特定のカメラ保持装置を用意して、その場所のＩＤに合った撮影条件を設定する。特許文献２によると、サーバを介して、特定の画像の撮影に用いられた撮影設定条件をカメラに送信する。特許文献３によると、場所を特定せずに撮影画像から適切な撮影条件を検証し、推奨条件を戻して撮影させる。
【特許文献１】特開２００４−７２２４６号公報
【特許文献２】特開２００４−２３３５２号公報
【特許文献３】特開２００５−１１７１９０号公報
【発明の開示】
【発明が解決しようとする課題】
【０００３】
特許文献１では、保持装置にカメラを取り付ける必要があるため、撮影場所の自由度がないし、保持装置を様々な種類のカメラに対応させることも難しい。また、保持装置にカメラを逐一取り付ける必要があり煩わしい。特許文献２では、予め写真家やアーティストが各場所に対応する画像と撮影条件をサーバに登録しておく必要があり、ユーザが撮影したい場所の画像が登録されていない場合は適切な撮影条件を設定できない。特許文献３では、撮影条件の設定キーとなる撮影場所を、ユーザがいちいち地図を見て撮影場所設定欄に設定する必要があり、面倒である。
【０００４】
本発明はこのような問題点に鑑みてなされたもので、ユーザを煩わせることなく、撮影場所に適した撮影条件をカメラに設定することを目的とする。
【課題を解決するための手段】
【０００５】
本発明は、撮影装置と、固有の識別情報を有しかつ撮影装置と無線接続するアクセスポイントと、アクセスポイントを介して撮影装置と通信するサーバとを備える撮影条件設定システムに関する。
【０００６】
このシステムにおいて、サーバは、各アクセスポイントに固有の識別情報と各アクセスポイントの設置場所に最適な撮影条件とを対応づけた撮影条件テーブルを記憶しており、撮影装置は、特定のアクセスポイントと無線接続したことに応じ、撮影条件の送信を要求するための撮影条件要求を、特定のアクセスポイントに固有の識別情報とともにサーバに送信し、サーバは、特定のアクセスポイントを介して固有の識別情報および撮影条件要求を受信すると、撮影条件テーブルを参照して固有の識別情報に対応する撮影条件を決定して、決定された撮影条件を撮影装置に送信し、撮影装置は、サーバから撮影条件を受信すると、受信した撮影条件を設定する。
【０００７】
この発明によると、撮影装置が特定のアクセスポイントの通信エリア内に入って無線接続したことに応じ、最適な撮影条件の送信要求を、そのアクセスポイントに固有の識別情報とともにサーバに対して送る。サーバは、各アクセスポイントに対応する最適な撮影条件を蓄積しており、撮影装置から該要求およびアクセスポイントに固有の情報を受信すると、受信した固有の情報に対応する最適な撮影条件を決定し、これを撮影装置に送信する。撮影装置は、サーバから最適な撮影条件を受信すると、これを設定する。
【０００８】
すなわち、単に撮影装置が特定のアクセスポイントと無線接続するだけで、そのアクセスポイントの設置位置近傍に最適な撮影条件が、撮影装置に自動設定される。ユーザは、撮影場所ごとにいちいち最適な撮影条件を設定する煩わしさがないし、撮影場所に最適な撮影条件によって満足のいく成功画像を得ることが期待される。
【０００９】
本発明は、撮影装置と、固有の識別情報を有しかつ撮影装置と無線接続するアクセスポイントと、アクセスポイントを介して撮影装置と通信するサーバとを備えるシステムで用いられる撮影条件設定支援方法に関する。
【００１０】
この方法は、各アクセスポイントに固有の識別情報と各アクセスポイントの設置場所に最適な撮影条件とを対応づけた撮影条件テーブルをサーバに記憶するステップと、撮影装置が特定のアクセスポイントと無線接続したことに応じ、撮影条件の送信を要求するための撮影条件要求を、特定のアクセスポイントに固有の識別情報とともにサーバに送信するステップと、サーバが特定のアクセスポイントを介して固有の識別情報および撮影条件要求を受信すると、撮影条件テーブルを参照して固有の識別情報に対応する撮影条件を決定して、決定された撮影条件を撮影装置に送信するステップと、撮影装置がサーバから撮影条件を受信すると、受信した撮影条件を設定するステップと、を含む。
【００１１】
本発明は、固有の識別情報を有しかつ撮影装置と無線接続するアクセスポイントを介して撮影装置と通信する撮影条件提供サーバに関する。
【００１２】
このサーバは、各アクセスポイントに固有の識別情報と各アクセスポイントの設置場所に最適な撮影条件とを対応づけた撮影条件テーブルを記憶する記憶部と、特定のアクセスポイントと無線接続した撮影装置から、特定のアクセスポイントに固有の識別情報および撮影条件要求を受信する受信部と、記憶部の撮影条件テーブルを参照して固有の識別情報に対応する撮影条件を決定する撮影条件決定部と、撮影条件決定部の決定した撮影条件を、特定のアクセスポイントを介して撮影装置に送信する送信部と、を備える。
【００１３】
本発明は、固有の識別情報を有する無線アクセスポイントを介してサーバと通信する撮影装置に関する。
【００１４】
この撮影装置は、特定のアクセスポイントと無線接続したことに応じ、撮影条件の送信を要求するための撮影条件要求を、特定のアクセスポイントに固有の識別情報とともにサーバに送信する送信部と、サーバから撮影条件を受信する受信部と、受信部がサーバから受信した撮影条件を設定する設定部と、を備える。
【発明の効果】
【００１５】
この発明によると、単に撮影装置が特定のアクセスポイントと無線接続するだけで、そのアクセスポイントの設置位置近傍に最適な撮影条件が、撮影装置に自動設定される。ユーザは、撮影場所ごとにいちいち最適な撮影条件を設定する煩わしさがないし、撮影場所に最適な撮影条件によって満足のいく成功画像を得ることが期待される。
【発明を実施するための最良の形態】
【００１６】
以下、添付した図面を参照し本発明の好ましい実施形態を説明する。図１は本発明の好ましい実施形態に係る撮影条件設定システムの機能構成図である。このシステムは、テーマパークや町中の一定エリアなどの限られた施設や領域内で使用するシステムである。このシステムは、施設の入場者Ｕの保有するデジタルカメラ１００と、施設内の所定の場所ごと（例えばアトラクションごと）に設置されておりカメラ１００と無線通信可能なアクセスポイント２と、いずれのアクセスポイント２とも有線または無線のネットワーク７で接続されたサーバ８とを含む。
【００１７】
アクセスポイント２は、それぞれ一意的な識別情報（以下「ＡＰＩＤ」で表す）を図示しない半導体メモリなどに記憶しており、自身の通信エリア内に入ったカメラ１００に対し、ＡＰＩＤを通知する。
【００１８】
図２に示すように、サーバ８は、各アクセスポイント２に一意的に付与されているＡＰＩＤと、各ＡＰＩＤに対応した最適な撮影条件とを対応づけた撮影条件テーブル８ａを、図示しないハードディスクユニットなどに記憶している。
【００１９】
ここでは例えば、ＡＰＩＤ＝「２Ａ」には、最適な撮影条件として、「晴天・曇りなど天候情報に応じたホワイトバランス指定」、「撮影モード：ＡＵＴＯ（オートモード）」および「時刻に応じたストロボＯＮ／ＯＦＦ」が対応している。
【００２０】
各アクセスポイント２のＡＰＩＤに対応する撮影条件は、単純に場所のみに依存する条件（すなわちＡＰＩＤによって定まる撮影条件。以下、静的な撮影条件という）でもよいし、その場所の現在の環境に依存する条件（すなわちＡＰＩＤだけでなく、そのＡＰＩＤに対応する場所の現在環境によって定まる撮影条件。以下、動的な撮影条件という）であってもよい。
【００２１】
例えば、アクセスポイント２の設置場所であるアトラクションの動きが速い場合は撮影条件としてスポーツモードや高速シャッタスピード、あるいは遅い場合は人物モードとしたり、設置場所が室内ならば室内モード、室外ならば風景モードとするなど、アクセスポイント２の設置場所に固有の環境に依存した静的な撮影条件をＡＰＩＤと対応づけることも可能である。
【００２２】
また、現在の時刻が夕刻でありかつアクセスポイントの設置場所が室外であれば夕景モード、現在の気象条件が曇りならばストロボオンとしたり、現在の照明の色温度に応じたホワイトバランス値を決定するためにオードモードにするなど、撮影時点におけるアクセスポイント２の設置場所に固有の現在環境を表象する変動パラメータ（気象条件、時刻、照明条件など）に依存した動的な撮影条件をＡＰＩＤと対応づけることも可能である。
【００２３】
その他のＡＰＩＤに対応する最適な撮影条件の詳述は省略するが、要するに、各アクセスポイントの設置場所ごとに撮影環境が異なるため、これにあわせて最適な撮影条件（動的または静的な撮影条件のうち少なくともいずれか一方）を対応づけている。
【００２４】
サーバ８の撮影条件決定部８ｂは、カメラ１００の交信する特定のアクセスポイント２のＡＰＩＤをカメラ１００から受信すると、このＡＰＩＤおよび撮影条件テーブル８ａに基づいて、カメラ１００の現在位置に最適な撮影条件を決定し、その撮影条件をカメラ１００に送信する。カメラ１００は、施設内の所定の場所で撮影を行う際、特定のアクセスポイント２と無線通信し、撮影条件その他の各種データをサーバ８から受信する。
【００２５】
図３はカメラ１００のブロック構成図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００２６】
モードダイヤル１２３の回動により指定可能な撮像モードの種類には、例えば、静止画を撮像する静止画の撮像モードと、動画を撮像する動画の撮像モードとがあり、更に静止画の撮像モードには、シャッタスピード、絞り値等の撮像条件を自動で設定するオートモード、それらの撮像条件の設定をマニュアルで行うマニュアルモード、人物撮像、風景撮像、スポーツ撮像、夜景撮像のように各撮像シーンに応じて適切なシャッタスピード、絞り値、露出値、ホワイトバランスその他の撮像条件に自動設定する各撮像モード（人物モード、ポートレート撮像モード、風景モード、スポーツモード、夕景モード、夜景モード）などがある。
【００２７】
また、カメラ１００には、撮影画像や再生画像等を表示するための画像表示ＬＣＤ１０２と、操作の手助けを行なうための操作ＬＣＤ表示１０３が備えられている。
【００２８】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００２９】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３０】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３１】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００３２】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００３３】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００３４】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００３５】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００３６】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００３７】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００３８】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００３９】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００４０】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４１】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００４２】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００４３】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４４】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００４５】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００４６】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００４７】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００４８】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００４９】
なお、セルフタイマランプ１０５ｃはＬＥＤで構成してもよく、ＡＦ補助光ランプ１０５ｂを構成するＬＥＤと共通にしてもよい。
【００５０】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５１】
通信制御部１３９には、通信ポート１０７が備えられており、この通信制御部１３９は、通信ポート１０７と無線接続されたアクセスポイント２を経由して、各種の制御情報などをサーバ８その他の外部装置との間で無線通信する。
【００５２】
また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５３】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５４】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディア、ハードディスク（ＨＤＤ）７５のような内蔵型大容量記憶媒体、あるいはフラッシュメモリ１５２に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００５５】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５６】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００５７】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００５８】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００５９】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６０】
ＲＴＣ（Real Time Clock）１５は計時専用のチップであり、電源電池６８やＡＣアダプタ４８からの給電がオフされていてもバックアップ電池から電源供給を受けて継続的に動作する。
【００６１】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００６２】
以下、図４を参照し、本システムの実施する処理の流れを説明する。Ａ１〜Ａ７はカメラ１００側の処理、Ｂ１〜Ｂ４はサーバ８側の処理である。
【００６３】
Ａ１では、カメラ１００は、特定のアクセスポイント２の通信エリア内に入ったか否かを判断する。特定のアクセスポイント２の通信エリア内に入ったと判断した場合はＡ２へ移行し、特定のアクセスポイント２の通信エリア内に入っていないと判断した場合はＡ７へ移行する。
【００６４】
Ａ２では、カメラ１００は、アクセスポイント２からＡＰＩＤを受信し、フラッシュメモリ１５２などの不揮発性記憶媒体で構成された撮影場所記憶メモリ１５２ｂに記憶する。
【００６５】
Ａ３では、カメラ１００は、アクセスポイント２を介して、撮影場所記憶メモリ１５２ｂのＡＰＩＤとともに、最適な撮影条件を送信する要求（撮影条件要求）をサーバ８に対して送る。なおこの要求は、カメラ１００の要求に応じてアクセスポイント２からサーバ８に送られてもよい。
【００６６】
一方Ｂ１では、サーバ８は、カメラ１００からの撮影条件要求を受信したか否かを判断する。カメラ１００からこの要求を受信したと判断すると、Ｂ２に移行する。
【００６７】
Ｂ２では、サーバ８は受信したＡＰＩＤを読み取る。
【００６８】
Ｂ３では、サーバ８の撮影条件決定部８ｂは、撮影条件テーブル８ａ（図２）を参照し、読み取ったＡＰＩＤに対応する最適な撮影条件を決定する。この処理の詳細は後述する。
【００６９】
Ｂ４では、サーバ８は、決定した最適な撮影条件を、アクセスポイント２経由でカメラ１００に送信する。
【００７０】
Ａ４では、カメラ１００は、サーバ８から撮影条件を受信したか否かを判断し、受信したと判断すると、Ａ５に移行する。受信しない場合は、受信したか否かの判断を繰り返す。
【００７１】
Ａ５では、フラッシュメモリ１５２などの不揮発性記憶媒体で構成された撮影条件設定メモリ１５２ａに受信した撮影条件を記憶する。ＣＰＵ２０は、動作プログラムである撮影条件設定部２０ａの指令に従い、撮影条件設定メモリ１５２ａに記憶された撮影条件に適合した撮影モードや動作条件をカメラ１００の各ブロックに設定する。そして、Ａ６の撮影可能状態に移行し、レリーズスイッチ１０４の全押しに応じて画像取得動作をする。
【００７２】
Ａ７では、特定の撮影条件の自動設定は行わず、ユーザが適宜手動設定した撮影条件に従い、レリーズスイッチ１０４の全押しに応じて画像取得動作をする。
【００７３】
図５は上記Ｂ４の撮影条件決定部８ｂによる最適な撮影条件を決定する処理の詳細を示すフローチャートである。ここでは一例として、ＡＰＩＤ＝「２Ａ」である屋外のアクセスポイント２にカメラ１００が無線接続している場合の最適な撮影条件を決定する処理を説明するが、ＡＰＩＤ＝「２Ａ」以外の場合でも、同様の処理を行うことができる。
【００７４】
Ｂ１１では、サーバ８に内蔵された図示しないＲＴＣから現在時刻を読み取る。
【００７５】
Ｂ１２では、外部の天気情報配信サイトなどから現在のアクセスポイント２付近の天候情報を入手する。
【００７６】
Ｂ１３では、カメラ１００から受信したＡＰＩＤが「２Ａ」であるか否かを判断する。ＡＰＩＤ＝「２Ａ」であればＢ１４に移行し、ＡＰＩＤ＝「２Ａ」でなければ、撮影条件テーブル８ａ（図２）を参照して、そのＡＰＩＤに対応した撮影条件を適宜決定しＢ４に進む。
【００７７】
Ｂ１４では、現在時刻は昼間の時間帯（例えば１１：００〜１７：００）の中であるか否かを判断する。現在時刻が昼間の時間帯の中である場合はＢ１５、現在時刻が昼間の時間帯の中でない場合はＢ１６に移行する。
【００７８】
Ｂ１５では、現在時刻は夕方の時間帯（例えば１６：００〜１７：００）の中であるか否かを判断する。現在時刻が夕方の時間帯の中である場合はＢ２３、現在時刻が夕方の時間帯の中でない場合はＢ１７に移行する。
【００７９】
Ｂ１６では、入手した天候情報が、晴れであるか否かを判断する。晴れの場合はＢ１９、晴れでない場合はＢ１８に移行する。
【００８０】
Ｂ１７では、入手した天候情報が、晴れであるか否かを判断する。晴れの場合はＢ２２、晴れでない場合はＢ２１に移行する。
【００８１】
Ｂ１８では、ホワイトバランスを「曇り」の天候に対応した所定値とし、かつストロボ１０５ａの発光をオンとする撮影条件を最適な撮影条件に決定する。
【００８２】
Ｂ１９では、ホワイトバランスを「晴れ」の天候に対応した所定値とし、かつストロボ１０５ａの発光をオフとする撮影条件を最適な撮影条件に決定する。
【００８３】
Ｂ２１では、ホワイトバランスを「曇り」の天候に対応した所定値とし、かつストロボ１０５ａの発光をオンとする撮影条件を最適な撮影条件に決定する。
【００８４】
Ｂ２２では、ホワイトバランスを「夕景」の天候に対応した所定値（モードダイヤル１２３で設定可能な「夕景」のシーンポジションに対応した所定値で可）とし、かつストロボ１０５ａの発光をオフとする撮影条件を最適な撮影条件に決定する。
【００８５】
Ｂ２３では、ホワイトバランスをオートモードに対応した所定値とし、かつストロボ１０５ａの発光をオンとする撮影条件を最適な撮影条件に決定する。
【００８６】
なお、Ｂ１８〜Ｂ２３の処理の終了後は、Ｂ４に進み、決定した最適な撮影条件をカメラ１００に送信する。
【００８７】
このように、本実施形態のサーバ８は、カメラ１００のアクセスしている特定のアクセスポイント２の識別情報、天候情報、現在時刻に応じて、カメラ１００の現在位置に最適な撮影条件を決定し、決定した撮影条件をカメラ１００に送る。カメラ１００は、サーバ８から受信した撮影条件を設定する。このため、ユーザは自分でいちいち撮影条件を設定しなくても、撮影場所に最適な撮影条件が自動設定されたカメラ１００で撮影を行うことができ、撮影者が満足のいく画像を得ることができる。
【図面の簡単な説明】
【００８８】
【図１】本発明の好ましい実施形態に係る撮影条件設定システムの概略構成図
【図２】撮影条件テーブルの構造を概念的に示した図
【図３】デジタルカメラのブロック図
【図４】撮影条件設定システムの実行する処理の流れを示すフローチャート
【図５】サーバの実行する撮影条件決定処理の流れを示すフローチャート
【符号の説明】
【００８９】
２：アクセスポイント、８：サーバ、１００：デジタルカメラ
【図１】
2008005034.tif 000003
【図２】
2008005034.tif 000004
【図３】
2008005034.tif 000005
【図４】
2008005034.tif 000006
【図５】
2008005034.tif 000007